(57)【要約】【課題】道具を必要とせず、安全に、かつ、簡単に開封でき、開封後の包材の廃棄が容易で異物混入の虞もない、新規の包装体とその開封方法及び製造方法を提供する。【解決手段】包装体１は包材２の内部に被包装物３を収容して該被包装物を密封する。包材２の外部表面４にはハーフカット線６が形成される。この外部表面４とは反対側から包装体１を折り曲げる力を付与し、該ハーフカット線６の両側に引張力を付与することにより、ハーフカット線６に沿って包材２を破断して、被包装物３の密封状態を解くことができる。なお、包材２の外部表面４上の略中央部を通過するように、包材２の一端部４ａから他端部４ｂにわたってハーフカット線６が形成されることが好ましい。また、ハーフカット線６が、包材２の外部表面４とは反対側の外部表面にも形成されることが好ましい。【選択図】図１
2015086007.tif 000002
【特許請求の範囲】
【請求項１】
包材の内部に被包装物を収容して該被包装物を密封した包装体であって、前記包材の外部表面にハーフカット線が形成され、かつ、
前記外部表面とは反対側から前記包装体を折り曲げる力を付与し、該ハーフカット線の両側に引張力を付与することにより、該ハーフカット線に沿って前記包材を破断して、前記被包装物の密封状態を解くことを特徴とする包装体。
【請求項２】
前記包材の前記外部表面上の略中央部を通過するように、前記包材の一端部から他端部にわたって前記ハーフカット線が形成されたことを特徴とする請求項１に記載の包装体。
【請求項３】
前記ハーフカット線が、前記包材の前記外部表面とは反対側の外部表面にも形成されたことを特徴とする請求項１又は２に記載の包装体。
【請求項４】
前記包材が、
前記被包装物に隣接するシーラント層と、
前記シーラント層の外部表面側に積層され、かつ、ポリエチレンテレフタレート層及び延伸ナイロン層から選択された少なくとも１層以上の基材層と、
を有し、かつ、
前記ハーフカット線の断面方向の溝は、前記基材層の外部表面から該基材層の内部表面に向かって形成される一方、前記シーラント層には形成されていないことを特徴とする請求項１〜３のいずれかに記載の包装体。
【請求項５】
前記基材層がポリエチレンテレフタレート層及び延伸ナイロン層から選択された２層以上の基材層を有し、かつ、前記ハーフカット線の断面方向の前記溝が前記基材層の最上層のみならず下層にも形成されていることを特徴とする請求項４に記載の包装体。
【請求項６】
前記包材の前記内部を脱気してなることを特徴とする請求項１〜５のいずれかに記載の包装体。
【請求項７】
前記基材層と前記シーラント層との間に酸素高遮断性を備えた樹脂層を設けたことを特徴とする請求項４〜６のいずれかに記載の包装体。
【請求項８】
前記ハーフカット線は、連続的に延びた直線状を成すように前記包材の前記外部表面に切り込んでいることを特徴とする請求項１〜７のいずれかに記載の包装体。
【請求項９】
前記ハーフカット線は、連続的に延びた波線、ジグザグ線、及び凹凸線、並びに、断続的に延びた直線、波線、ジグザグ線、及び凹凸線のいずれか及びこれらの組合せから選択された形状を成すように前記包材の前記外部表面に切り込んでいることを特徴とする請求項１〜８のいずれかに記載の包装体。
【請求項１０】
前記包材の前記一端部及び前記他端部の少なくとも一方に隣接する前記包材の側壁の断面が、他方の側壁に向かって凹んだ凹形状を成し、かつ、前記ハーフカット線の端部が前記凹形状の最も深くなる位置付近に接続されることを特徴とする請求項２〜９のいずれかに記載の包装体。
【請求項１１】
前記ハーフカット線の近傍の前記包装体の断面がＶ字又はＵ字を成し、前記ハーフカット線が前記Ｖ字又は前記Ｕ字の最も深くなる位置付近に設けたことを特徴とする請求項１〜１０のいずれかに記載の包装体。
【請求項１２】
前記ハーフカット線がレーザー加工又は刃物を利用した機械的切断加工により前記包材に形成されていることを特徴とする請求項１〜１１のいずれかに記載の包装体。
【請求項１３】
請求項１〜１２のいずれかに記載の包装体の開封方法であって、
破断させようとする前記ハーフカット線が設置された前記外部表面とは反対側から前記包装体を折り曲げ、該ハーフカット線の両側に引張力を付与して該ハーフカット線に沿って前記包材を破断させることにより、前記被包装物の密封状態を解くことを特徴とする包装体の開封方法。
【請求項１４】
請求項１〜１２のいずれかに記載の包装体の製造方法であって、
前記包材の材料となるロール材を用意する工程と、
前記ロール材をロール・ツー・ロール方式で連続的に移動させる工程と、
前記ロール材の移動方向に略直交する方向に前記ロール材に対して刃物を利用した機械的切断加工を施すことにより前記包材に前記ハーフカット線を形成する工程と、
を含むことを特徴とする包装体の製造方法。
【請求項１５】
請求項４〜１２のいずれかに記載の包装体の製造方法であって、
前記包材の前記基材層の材料となるロール材を用意する工程と、
前記ロール材をロール・ツー・ロール方式で連続的に移動させる工程と、
前記ロール材の移動方向に略直交する方向に前記ロール材に対して刃物を利用した機械的切断加工を施すことにより前記包材の前記基材層に前記ハーフカット線を形成する工程と、
前記基材層の内部表面に前記シーラント層の一面を貼り合わせる工程と、
を含むことを特徴とする包装体の製造方法。
【発明の詳細な説明】
【技術分野】
【０００１】
本発明は、米穀類、豆類、シリアル等の粒状体、砂糖、塩、小麦粉などの粉体、高粘度液体、又はこれらの混合物を収容した包装体とその開封方法に関する。
【背景技術】
【０００２】
従来、米等の粒状体を包材に収容した包装体を開封する場合、ハサミなどの刃物を用いて包材を切断して開封するのが一般的である。しかし、刃物を用意する手間がかかり、開封時に怪我をする虞もあった。一方、包材に予め形成されている開封用のノッチから包材を手で引き裂いて開封する方法もあるが、ノッチの種類によっては鋭利なものがあり、開封時に怪我をする虞があった。このほか、従来の包装体は、開封の際に包材の一部が切り離されるため、開封後に切り離された包材の一部を廃棄する煩わしさがあり、切り離された包材の一部が異物混入の原因になる虞もあった。
【先行技術文献】
【特許文献】
【０００３】
【特許文献１】特開２００４−０６５２１１号公報
【発明の概要】
【発明が解決しようとする課題】
【０００４】
そこで、本発明は、道具を必要とせず、安全に、かつ、簡単に開封でき、開封後の包材の廃棄が容易で異物混入の虞もない、新規の包装体とその開封方法及び製造方法を提供することを目的とする。
【課題を解決するための手段】
【０００５】
すなわち、本発明は以下の特徴・構成を有するものである。
（態様１）
包材の内部に被包装物を収容して該被包装物を密封した包装体であって、前記包材の外部表面にハーフカット線が形成され、かつ、
前記外部表面とは反対側から前記包装体を折り曲げる力を付与し、該ハーフカット線の両側に引張力を付与することにより、該ハーフカット線に沿って前記包材を破断して、前記被包装物の密封状態を解くことを特徴とする包装体。
（態様２）
前記包材の前記外部表面上の略中央部を通過するように、前記包材の一端部から他端部にわたって前記ハーフカット線が形成されたことを特徴とする態様１に記載の包装体。
（態様３）
前記ハーフカット線が、前記包材の前記外部表面とは反対側の外部表面にも形成されたことを特徴とする態様１又は２に記載の包装体。
（態様４）
前記包材が、
前記被包装物に隣接するシーラント層と、
前記シーラント層の外部表面側に積層され、かつ、ポリエチレンテレフタレート層及び延伸ナイロン層から選択された少なくとも１層以上の基材層と、
を有し、かつ、
前記ハーフカット線の断面方向の溝は、前記基材層の外部表面から該基材層の内部表面に向かって形成される一方、前記シーラント層には形成されていないことを特徴とする態様１〜３のいずれかに記載の包装体。
（態様５）
前記基材層がポリエチレンテレフタレート層及び延伸ナイロン層から選択された２層以上の基材層を有し、かつ、前記ハーフカット線の断面方向の前記溝が前記基材層の最上層のみならず下層にも形成されていることを特徴とする態様４に記載の包装体。
（態様６）
前記包材の前記内部を脱気してなることを特徴とする態様１〜５のいずれかに記載の包装体。
（態様７）
前記基材層と前記シーラント層との間に酸素高遮断性を備えた樹脂層を設けたことを特徴とする態様４〜６のいずれかに記載の包装体。
（態様８）
前記ハーフカット線は、連続的に延びた直線状を成すように前記包材の前記外部表面に切り込んでいることを特徴とする態様１〜７のいずれかに記載の包装体。
（態様９）
前記ハーフカット線は、連続的に延びた波線、ジグザグ線、及び凹凸線、並びに、断続的に延びた直線、波線、ジグザグ線、及び凹凸線のいずれか及びこれらの組合せから選択された形状を成すように前記包材の前記外部表面に切り込んでいることを特徴とする態様１〜８のいずれかに記載の包装体。
（態様１０）
前記包材の前記一端部及び前記他端部の少なくとも一方に隣接する前記包材の側壁の断面が、他方の側壁に向かって凹んだ凹形状を成し、かつ、前記ハーフカット線の端部が前記凹形状の最も深くなる位置付近に接続されることを特徴とする態様２〜９のいずれかに記載の包装体。
（態様１１）
前記ハーフカット線の近傍の前記包装体の断面がＶ字又はＵ字を成し、前記ハーフカット線が前記Ｖ字又は前記Ｕ字の最も深くなる位置付近に設けたことを特徴とする態様１〜１０のいずれかに記載の包装体。
（態様１２）
前記ハーフカット線がレーザー加工又は刃物を利用した機械的切断加工により前記包材に形成されていることを特徴とする態様１〜１１のいずれかに記載の包装体。
（態様１３）
態様１〜１２のいずれかに記載の包装体の開封方法であって、
破断させようとする前記ハーフカット線が設置された前記外部表面とは反対側から前記包装体を折り曲げ、該ハーフカット線の両側に引張力を付与して該ハーフカット線に沿って前記包材を破断させることにより、前記被包装物の密封状態を解くことを特徴とする包装体の開封方法。
（態様１４）
態様１〜１２のいずれかに記載の包装体の製造方法であって、
前記包材の材料となるロール材を用意する工程と、
前記ロール材をロール・ツー・ロール方式で連続的に移動させる工程と、
前記ロール材の移動方向に略直交する方向に前記ロール材に対して刃物を利用した機械的切断加工を施すことにより前記包材に前記ハーフカット線を形成する工程と、
を含むことを特徴とする包装体の製造方法。
（態様１５）
態様４〜１２のいずれかに記載の包装体の製造方法であって、
前記包材の前記基材層の材料となるロール材を用意する工程と、
前記ロール材をロール・ツー・ロール方式で連続的に移動させる工程と、
前記ロール材の移動方向に略直交する方向に前記ロール材に対して刃物を利用した機械的切断加工を施すことにより前記包材の前記基材層に前記ハーフカット線を形成する工程と、
前記基材層の内部表面に前記シーラント層の一面を貼り合わせる工程と、
を含むことを特徴とする包装体の製造方法。
【０００６】
（用語の定義）
ここで、本明細書及び特許請求の範囲で使用する「ハーフカット線」の用語は、被包装物を収容・密封する包材の外部表面上の一部分に物理的又は化学的に形成された曲線状又は直線状の溝であり、ハーフカット線付近の包材の断面を観た場合に、内部の被包装物と接する包材の内部表面までは貫通していない溝であることを意味する。
【発明の効果】
【０００７】
本発明の包装体とその開封方法によれば、道具を必要とせず、安全に、かつ、簡単に開封でき、開封後の包材の廃棄が容易で異物混入の虞もない。
【図面の簡単な説明】
【０００８】
【図１】本発明の包装体の一実施例を示す包装体の正面図である。
【図２】本発明の包装体の一実施例を示す包装体の背面図である。
【図３】本発明の包装体の一実施例を示す包装体の側面図である。
【図４】本発明の包装体の一実施例を示す包材の拡大断面図である。
【図５】本発明の包装体の開封方法の一実施例を示す説明図である。
【図６】バリア層を備えた包装体の酸素遮断性能を示すグラフである。
【図７】側壁くびれ又は上下面くびれが形成された包装体の変形例を示す図である。
【図８】レーザー加工又はダイカット加工により形成されたハーフカット線の断面状況を示す画像である。
【発明を実施するための形態】
【０００９】
以下、本発明の包装体とその開封方法の実施例について、添付した図面を参照しながら説明する。
【実施例１】
【００１０】
本発明の包装体の一実施例を示す図１〜３において、１は包装体であって、包装体１は、包材２と、この包材２に収容された被包装物としての精米３とからなる。なお、実際には包材２の全体に精米３が充填されているが、精米３の一部のみを図示する。
【００１１】
包材２は、長方形の正面フィルム４と背面フィルム５からなり、正面フィルム４と背面フィルム５の周辺部の三辺を貼り合せて袋状とし、これに被包装物３を収容した後に残りの一辺を貼り合せることにより、包材２の内部は密封されている。
【００１２】
また、包材２の内部は、必須ではないが、脱気されて真空に近い状態になっていることが好ましく、これにより、精米３の米粒同士が強固に密着して、包装体１が保管時や移動の際に容易に変形しないようになる。それだけでなく、被包装物（精米）３が適度な剛性を有するようになり、後述するハーフカット線６に沿った被包装物（精米）３の折り曲げ（へし折り）及び包材２の切断を容易にする。すなわち、ハーフカット線６に沿った開封性を改善する。
【００１３】
そして、正面フィルム４の外面側の略中央には、正面フィルム４の端部である２つの長辺４ａ，４ｂを結んで、ハーフカット線６が形成されている。このハーフカット線６は、予めレーザー加工により形成されたものである。なお、ハーフカット線６の形成方法は、レーザー加工のほか、カミソリ、ピンなどの刃物を用いた加工によるものであってもよい。
【００１４】
図４に示すように、包材２は、外部表面４側となる上層１１にポリエチレンテレフタレート（ＰＥＴ）層、その下の中層１２に延伸フィルム層としての延伸ナイロン（ＯＮ）層、下層１３にポリエチレン（ＰＥ）からなるシーラント層を有する。ここで、上層のＰＥＴ層１１と中層のＯＮ層１２とは、これらを併せて基材層とも呼ぶ。
【００１５】
なお、シーラント層１３とは、熱接着性を有する材質的特徴を持った樹脂層のことを指し、本実施例のようにポリエチレン（ＰＥ）のみから形成されてもよいほか、ポリエチレンを主体とし、これにポリプロピレン（ＰＰ）、エチレン・酢酸ビニル共重合体（ＥＶＡ）等の樹脂を単体・単体複層・混合単層・混合複層のフィルムに加工したものから形成されてもよい。例えば、ポリエチレン８０％、エチレン・酢酸ビニル共重合体２０％の配合でシーラント層を形成することができる。
【００１６】
そして、ハーフカット線６は、本実施例のように、上層１１を貫通し、中層１２にまで達するように形成されていることが好ましい。このように、最下層１３にシーラント層、そのすぐ上の層に延伸フィルム層１２を有する場合は、延伸フィルム層１２にまで達する深さのハーフカット線６が形成されることにより、包装体１の開封がさらに容易になる。なお、包材２は単層であっても多層からなる複合フィルム、ラミネート構成のフィルムであってもよい。また、ハーフカット線６は、後述の実施例に示すように、連続した実線であっても、非連続（断続的な）の点線であってもよい。さらに、ハーフカット線６の幅、形成角度、断面形状等は任意のものとすることができる。
【００１７】
この包装体１を開封する場合は、まず、図５（ａ）に示すように、ハーフカット線６が形成された面４を下にして、両手で包装体１の両端をそれぞれ握る。つぎに、ハーフカット線６側の面４が山折りになるように、包装体１を折り曲げる力を加える。すると、この面４のフィルムには引っ張られる力が働く。これにより、図５（ｂ）に示すように、ハーフカット線６が形成されて強度が弱くなっている略中央の部分が破断して包装体１が開封される。そして、精米３は、重力により下方へ排出される。この開封のとき、包装体１の下方に炊飯器の釜などの容器（図示せず）を配置することにより、包装体１から容器に簡単に精米３を移すことができる。
【００１８】
以上のように、本実施例の包装体１は、包材２に被包装物である精米３を収容して密封し、好ましくは包材２の内部を脱気してなる包装体１であって、包材２の略中央部において、包材２の外部表面４に、包材２の一端部４ａから他端部４ｂにわたってハーフカット線６が形成されたものである。
【００１９】
また、本実施例の包装体の開封方法は、フィルム製の包装体１を折り曲げる力を加えることにより、ハーフカット線６に沿って包材２を破断させるものである。
【００２０】
したがって、道具を別途必要とせず、安全に、かつ、簡単に開封でき、開封後の包材２の廃棄が容易で異物混入の虞もない。また、本発明では、従来のように包装体１の一部を切断するのではなく、包装体１全体を二つに折り曲げる力を加えることで開封するものであるので、手に水分や油脂が付着して手が滑りやすい状況であっても、容易に開封することができる。さらに、本実施例のように包材２の一端部４ａから他端部４ｂにわたってハーフカット線６が形成された場合には、包材２の両端部分まで確実に開口することができ、被包装物３を容易に取り出すことができる。
【００２１】
以上、本発明の包装体とその開封方法の一実施例について詳述したが、本発明は上記実施例に限定されるものではなく、本発明の要旨の範囲内で種々の変形実施が可能である。
【００２２】
例えば、上述の実施例１では、ハーフカット線６を包材２の一方の外部表面（正面）４のみに形成したが、この面４とは反対側の外部表面（背面）５にも形成するようにしても良い。上述の実施例１の包装体１を開封する場合には、ハーフカット線６の形成面４を確認した上で、この形成面４を山折りできるよう、これとは反対側の面５に対して折り曲げ力を付与すること、つまり、適切な使用方法に対する慎重さがユーザーに求められる。しかしながら、本変形例のように、どちらの面４，５にもハーフカット線６を形成すれば、折り曲げ力を付与する面をユーザーは事前に確認せずとも、包装体１の折り曲げ及びいずれかのハーフカット線６での開封を実行でき、ユーザーの使い勝手が格段に向上する。
【００２３】
この他、包材２の形状は長方形に限らず、任意の形状にすることができ、立体的な形状としてもよい。また、１枚のフィルム又は３枚以上のフィルムから包材２を構成してもよく、絞り加工によりチューブ状に形成されたフィルムから包材２を構成してもよい。或いは、一般の包装米飯に見られるような、樹脂製の絞り容器をフィルム製の蓋材で密封した包装形態であってもよい。この場合、フィルム製の蓋材にハーフカット線６を施すことができる。さらに、包材２の密封方法は、実施例１の三方袋加工や上述の絞り包装の包装形態に限定されず、二方袋加工、ピロー包装、合掌袋（背張り）加工など様々な製袋加工を適用可能である。
【００２４】
また、包材２の表面には、包装体１の商品名表示、被包装物３の品質表示、意匠性向上などの目的のために、さらに印刷された層が形成されていても良い。具体的には、包材２の基材層１１の外部表面４、基材層１１，１２間の境界面を構成する一方の面、或いは基材層１２とシーラント層１３との間の境界面を構成する一方の面へ、インキ等を塗布することによって印刷層（図示せず）を形成してもよく、該印刷層が本発明の包装体１の上述した開封機能や包装体１の後述する製造方法の生産性に特段、悪影響を及ぼすことは無い。なお、ハーフカット線６が形成された包材２付近に印刷層が形成されたとしても、印刷部分がにじむなどハーフカット線６が印刷に悪影響を及ぼすことは無い。
【００２５】
また、本発明の包材２を包装体１として有効に機能させるためには、基材層１１、１２の間、又は、基材層１１、１２とシーラント層１３との間の境界面とは貼り合わせられていることが好ましい。これらの層１１，１２，１３を互いに貼り合わせるには、例えば、公知の接着剤を用いた接着方法や溶融した樹脂を利用した公知のラミネート技術を使用できる。なお、これらの公知の接着技術は、本発明の包装体１の開封機能や包装体１の製造方法の生産性に特段、悪影響を及ぼすことは無い。
【００２６】
また、ハーフカット線６は、包材２を開口することができるように形成されればよく、種々の変形実施が可能である。例えば、ハーフカット線６は、直線に限定されず、任意の曲線（例えば、実線となるよう包材２の一端部４ａから他端部４ｂまで連続的に延びた波線、ジグザグ線、及び凹凸線、並びに、一端部４ａから他端部４ｂまで断続的に延びた直線、波線、ジグザグ線、及び凹凸線）としてもよい。また、ハーフカット線６が形成される包材２の位置は略中央部に限定されず、任意の位置としてもよい。さらに、ハーフカット線６を包材２の一端部４ａから他端部４ｂにわたって形成しなくともよい。但し、実施例１の構成は、包装体１の折り曲げとハーフカット線６付近での包材２の破断を効果的に達成する最適な構成の一つではある。
【００２７】
また、被包装物３は、精米のほか、米穀類、豆類、シリアル等の粒状体、砂糖、塩、小麦粉などの粉体、高粘度液体、又はこれらの混合物であってもよい。なお、高粘度液体を被包装物３とする場合は、開封を容易にする観点から、流動性が極めて低いものに限られる。したがって、本発明の包装体１は、例えば、精米の個包装、混ぜご飯の材料の個包装、ポップコーン用の乾燥トウモロコシの個包装など、多種多様の用途に用いることができる。また、被包装物３は、食品に限られず、洗剤、入浴剤などの生活用品や、プラスチック原料などの工業用品、或いは、タオル、おしぼりなどとすることもでき、特定のものに限定されるものではない。
【００２８】
特に、本発明の包装体１を１〜５合などの様に定められた内容量あるいは既定のグラム数ごとの精米の個包装として用いれば、簡単に開封できるほか、炊飯する際の精米を計量する作業を省略することができ、極めて使い勝手がよいものとなる。また、包材２の内部は好ましくは脱気されているので、未開封の状態においては被包装物３の酸化も抑制される。
【実施例２】
【００２９】
（基材層とシーラント層との間に酸素高遮断性を備えた樹脂層（バリア層）の追加）
また、本発明の包装体１は、基材層とシーラント層との間に酸素高遮断性を備えた図示しない樹脂層（以下「バリア層」とも呼ぶ。）を追加した構成にすることが好ましい。これにより、包装体１内部に高い酸素遮断性を確保でき、被包装物３の劣化を抑制することができるようになる。
【００３０】
バリア層の形成方法には、基材層の内部表面にアルミニウム、アルミナ、シリカ（酸化ケイ素）等を塗布（コーティング）又は蒸着したり、基材層の一部に予め設けられたＭＸＤ延伸ナイロンやＥＶＯＨを基材層の内部表面上に押し出したり、ＥＶＯＨ単体を別途、基材層の内部表面に貼り合わせたりするなどすれば形成が可能である。
【００３１】
基材層にバリア層をコーティング或いは蒸着する場合は、バリア層の厚みが通常１μｍ以下となるため、基材層の外部表面４から内部に向かってハーフカット線６を設ける加工を施した際に、バリア層を破壊しないように注意が必要である。
【００３２】
また、バリア層を押し出す場合には、バリア層の厚みを５μｍ程度にまで厚くすることができるため、バリア層にも選択的にハーフカット線６の加工を施すことが可能となるが、バリア層形成の為の押し出しの際に高い加工精度が求められることがある。
【００３３】
また、ＥＶＯＨ単体を別途、基材層に貼り合わせる場合は、バリア層の厚みを１５μｍ程度にまで厚くすることができるため、バリア層にも問題無く（バリア層の一部を破壊すること無く）ハーフカット線６の加工を施すことが可能となるだけでなく、ＥＶＯＨはシーラント層の材料と通常、物理的物性（例えば、破断強度やせん断強度）が同等又は近似するため、ハーフカット線６付近での開封性を損なう危険性を減らすことできる。このように、シーラント層と物理的物性が同等又は近似した物性を有する酸素高遮断性の樹脂層を基材層とシーラント層との間に形成することがさらに好ましい。
【００３４】
この好適な構成の包装体１に対し酸素遮断性を評価し、その結果を表１及び図６に示す。
【００３５】
【表１】
2015086007.tif 000003
【００３６】
表１に示すように、試験片として２種類の包材を用意した。一種類目は、基材層及びシーラント層に、１２μｍ厚のＰＥＴ層及び７０μｍ厚の直鎖低密度ポリエチレン（ＬＬＤＰＥ  表１中では「ＬＬ７０」と表記）層を使用し、この基材層とシーラント層との間に酸素遮断性を有するＭＸＤ延伸ナイロン（ＯＮ）層を形成した。一方、二種類目は、基材層に１５μｍ厚の延伸ナイロン（ＯＮ）層を二つ積層したものを使用し、シーラント層に無延伸ポリプロピレン（ＣＰＰ）層を使用し、この基材層とシーラント層との間に酸素遮断性を有するエチレン・ビニルアルコール共重合体（ＥＶＯＨ）層を形成した。
【００３７】
この表１及び図６に示すように、（１）バリア層の追加により酸素遮断性が長期間、持続できること、（２）ハーフカット線の有無によって性能に変動が余り生じないこと、（３）ＥＶＯＨ層を使用した構成の方が、より高い酸素遮断性を示すことが観察された。
【実施例３】
【００３８】
（ハーフカット線の形成パターンが開封のしやすさに及ぼす影響の検討）
次に、実施例１では直線状であったハーフカット線６の形成パターンを種々変更して、形成パターンが包材２の開封のしやすさ（破断強度）に及ぼす影響を検討した。
【００３９】
（実施例３の供試材料の仕様及びハーフカット線の形成方法）
後述する各ハーフカット線６を付与する試験片（包材２）として、１２μｍ厚のＰＥＴ層からなる基材層と、この基材層より下層の１５μｍ厚のＭＸＤ延伸ナイロンからなるバリア層と、このバリア層より下層の７０μｍ厚の直鎖低密度ポリエチレン（ＬＬＤＰＥ）層からなるシーラント層と、から構成された包材２（全幅１５ｍｍ）を使用した。なお、いずれの形状のハーフカット線６も共通の断面寸法（溝幅５０μｍ及び溝深さ２７μｍ）を有するようにレーザー加工により包材２上に形成した。
【００４０】
試験対象の形成パターンとして、直線、波線、ジグザグ線、包材２の外部表面４上の一端部４ａから他端部４ｂへの長さが６．２ｍｍと比較的短い破線αと、一方８．１ｍｍと比較的長い破線βとを用意した。なお、どちらの破線α，βとも、加工長さ（一つの破線を構成する切れ込み）が同じであるが、切れ込みが入らない未加工の長さが異なるように設定した。また、比較の為に、ハーフカット線６を全く入れない試験片（表２中の「ブランク」を参照）も用意した。
【００４１】
ここで、直線のパターンではハーフカット線６の全長（外部表面４上の長さ）が試験片の全幅と同じ１５ｍｍであり、試験片の一端部４ａから他端部４ｂまで一直線状に切り込みが入れられている。また、この直線パターンでのハーフカット線６の全長を基準として他の試験片のパターンのハーフカット線６の全長（相対的な加工割合）は表２に示すとおりである。
【００４２】
【表２】
2015086007.tif 000004
【００４３】
これらの試験片に対して破断試験を行い、破断荷重をそれぞれ測定した（表２を参照）。この表２に示すように、直線パターンの破断荷重が最も小さく、ブランクパターンが最も高かった。なお、直線パターンの破断荷重を基準値（１００％）とした場合に、ブランク、波線、ジグザグ、破線α、及び破線βの各破断荷重の相対割合は、３５８％、１１３％、１３３％、２４１％、及び２２５％であった。これにより、ハーフカット線６のパターン形状を適宜選択することによって、破断つまり開封のしやすさを調節できることが分かった。
【００４４】
この知見は、例えば、以下の状況に適用することが可能となる。例えば、包材２の材料そのものに機械的強度（破断強度）が比較的低いものや包材２や被包装物３の厚さが比較的小さいものを選択・使用した場合に、包装体１の梱包時や配送時など望ましくないタイミングで、ハーフカット線６付近で破断・開封する危険性が高まることが予想される。しかしながら、ハーフカット線６として、直線とは異なる別のパターン（波線や破線等）を付与することで、破断強度が上がるため、包材２の意図しない開封を抑制することが可能となる。
【００４５】
一方で、包材２の材料自体が機械的強度に比較的優れるものやその被包装物３の厚さが比較的大きいものを選択・使用した場合には、意図しない開封やへし折り等の危険が減り、却って開封を容易にすることが望まれる場合もあることから、直線の形成パターンを付与することが有用である。また、直線パターンは、他の形成パターンよりも加工がシンプルで済むことから、本発明の包装体１の製造中に異物が混入する危険性も減らすことができるという利点もある。
【実施例４】
【００４６】
次に、包装体１の外形（立体的形状）に関する変形例について説明する。この変形例が必要とされる背景から先ず説明する。
【００４７】
被包装物３の分量（つまり、包装体１の収容量）が２００ｃｃ程度と少ない量であれば、包装体１の外形を実施例１で示したような単純な直方体のままでも開封に支障はないが、収容量を次第に大きくしていくと（例えば、５００ｃｃ程度を超えるようになると）、包装体１を折り曲げて包材２を開封することが困難となってくる。
【００４８】
このような場合には、包装体１に次のような特殊な形状を付与することで折り曲げや開封を容易にすることが可能となる。
【００４９】
具体的な一変形例として、図７（ａ）に示すように、包材２の一端部４ａ及び他端部４ｂの少なくとも一方に隣接する包材２の側壁７ａ，７ｂの一部が、他方の側壁に向かって凹んだ凹形状（例えば、Ｖ字やＵ字状、図７（ａ）では、Ｕ字状の水平方向断面形状）を成し、ハーフカット線６の端部６ｔ１，６ｔ２がこの凹形状（Ｖ字やＵ字）の最も深くなる位置付近に接続されるよう構成（「側壁くびれ」（図中符号８）とも呼ぶ。）することが好ましい。これにより、実施例１の場合に比べ、ハーフカット線６の全長が短縮されるために、破断荷重を低くでき、開封を容易にすることが可能となる。
【００５０】
また、別の変形例として、図７（ｂ）に示すように、ハーフカット線６の近傍の外部表面４の断面（図示では垂直方向断面）がＶ字又はＵ字の形状を成し、ハーフカット線６がこのＶ字又はＵ字の最も深くなる位置６ｄ付近を通過するよう構成（「上下面くびれ」（図中符号９）とも呼ぶ。）することも好ましい。これにより、ハーフカット線６付近の内容物（被包装物）３の量を減らすことで、外部からの折り曲げ力が付与された包装体１内の支点と作用点との距離が短くなり、被包装物３の折り曲げが容易となるとともに、ハーフカット線６での開封性も改善される。さらに、上述の側壁くびれ８と上下面くびれ９とを併用した構成を採用するようにしてもよく、これらの併用により、包材２の開封性がさらに改善することが予想される。
【００５１】
（ハーフカット線の加工手法の変形例）
次に、ハーフカット線６を包材２上に形成するための加工方法の詳細について説明する。実施例１ではＣＯ２レーザー加工を用いて包材２上に形成したが、ダイカット、ロータリーダイカット、ミシン目加工等の刃物を利用した機械的切断加工を施してもよい。
【００５２】
レーザー加工による利点は、溝方向に極めて高精度な加工を実現できるため、シーラント層１３を変形・破損させることなく、基材層１１，１２やバリア層のみにハーフカット線６の溝をこれらの断面方向に形成することが可能となる（図８（ａ）を参照）。しかしながら、加工速度は５ｍ／分程度までしか高くできないことやロール・ツー・ロール方式を採用して製造する場合には、ロールの進行方向に対してこれに直交する方向（つまりロール幅方向）にレーザー照射装置を移動させながらレーザー照射（加工）を施すことは容易ではなく、レーザー照射装置の移動やレーザー出力に高精度な制御が求められる。
【００５３】
一方、ダイカット加工等の刃物を使用した機械的な加工では、ロールの進行方向に略直交する方向（つまりロール幅方向）に沿って刃物を所定距離だけ移動させるだけで、ハーフカット線６を包材２上に容易かつ確実に形成することができ（図８（ｂ）を参照）、ハーフカット線６の加工速度を極めて高く設定すること（例えば、１００ｍ／分程度）ができ、ひいては包装体１の生産性を飛躍的に向上することができる。
【００５４】
しかしながら、刃物の押圧力が強すぎる場合は、意図しないシーラント層１３の変形や破損（図８（ｃ）中の丸線で囲んだ部分を参照）が生じ得ることに注意が必要である。
【００５５】
ハーフカット線６の形成時のこの意図せぬシーラント層の変形を防止するために、基材層１１，１２（及びバリア層）のみにハーフカット線６の加工（刃物を利用した機械的切断加工）を施した後に、この基材層１１，１２の内部表面とシーラント層１３の一面とを貼り合わせるようにすることで対処が可能である。この際にハーフカット線６の溝が基材層１１，１２の外部表面４から内部表面まで貫通しないようにしたり、実線ではなく破線のハーフカット線６を形成したりするようにすることが好ましい。これにより、基材層１１，１２にダイカット加工等が施されてもハーフカット線６の前後で基材層１１，１２が分断されることが無くなるために、基材層１１，１２とシーラント層１３とを連続的に貼り合わせることができ、貼り合わせの際に位置ズレが発生する危険を減らすことができるようになる。
【００５６】
（包装体の製造方法の一例）
上述の知見から、本発明の包装体１の製造方法は、例えば、以下のように提供される。
すなわち、本発明の包装体１の製造方法は、
包材２の材料となるロール材を用意する工程と、
ロール材をロール・ツー・ロール方式で連続的に移動させる工程と、
ロール材の移動方向に略直交する方向にロール材に対して刃物を利用した機械的切断加工を施すことにより包材２にハーフカット線６を形成する工程と、
を含むことを特徴とする。
【００５７】
さらに、好ましくは、本発明の包装体１の製造方法は、
包材２の基材層の材料となるロール材を用意する工程と、
ロール材をロール・ツー・ロール方式で連続的に移動させる工程と、
ロール材の移動方向に略直交する方向にロール材に対して刃物を利用した機械的切断加工を施すことにより包材２の基材層にハーフカット線６を形成する工程と、
基材層の内部表面にシーラント層の一面を貼り合わせる工程と、
を含むことを特徴とする。
【産業上の利用可能性】
【００５８】
以上詳述したように、本発明の包装体とその開封方法によれば、道具を必要とせず、安全に、かつ、簡単に開封でき、開封後の包材の廃棄が容易で異物混入の虞もない。また、本発明の包装体の製造方法によれば、本発明を構成する包材に対しハーフカット線を確実かつ高精度に形成でき、本発明の包装体を安価かつ効率的に製造することができる。
【００５９】
従って、本発明の包装体とその開封方法及び製造方法は、産業上の利用価値及び産業上の利用可能性が非常に高い。
【符号の説明】
【００６０】
１  包装体
２  包材
３  被包装物（精米）
４，５  包材の外部表面（正面，背面）
４ａ  一端部
４ｂ  他端部
６  ハーフカット線
７ａ，７ｂ  包材の側壁
８  側壁くびれ
９  上下面くびれ
【図１】
2015086007.tif 000005
【図２】
2015086007.tif 000006
【図３】
2015086007.tif 000007
【図４】
2015086007.tif 000008
【図５】
2015086007.tif 000009
【図６】
2015086007.tif 000010
【図７】
2015086007.tif 000011
【図８】
2015086007.tif 000012